(57)【要約】【解決手段】台盤１ａと天盤１ｂと２本の縦フレーム１ｃとで囲まれた４つの窓枠状開口部のうちの１つの窓枠状開口部に、電気機器Ｐ１、Ｐ２を配設するとともに、他の１つ窓枠状開口部に配設された開閉自在な扉４の内面４ａに、配線盤Ｗを配設した電気機器等収納ラックＲに関するものである。【効果】台盤と天盤と２本の縦フレームとで囲まれた４つの窓枠状開口部のうちの１つの窓枠状開口部に、電気機器を配設するとともに、他の１つ窓枠状開口部に配設された開閉自在な扉の内面に、配線盤を配設するようにしたので、従来の本配線盤とパケット交換機の収納ラックとを別々に設けた場合に比べ、設置空間を減少することができる。【選択図】図１
2006140242.tif 000002
【特許請求の範囲】
【請求項１】
台盤と天盤と２本の縦フレームとで囲まれた４つの窓枠状開口部のうちの１つの窓枠状開口部に、電気機器を配設するとともに、他の１つ窓枠状開口部に配設された開閉自在な扉の内面に、配線盤を配設するように構成したことを特徴とする電気機器等収納ラック。
【発明の詳細な説明】
【技術分野】
【０００１】
本発明は、電気機器等を収納するための電気機器等収納ラックに関するもので、特に、電気機器とともに、本配線盤や中間配線盤等の配線盤を収納することが可能な電気機器等収納ラックに関するものである。
【背景技術】
【０００２】
需要家と電話局のパケット交換網等の接続は、加入者通信回線で接続されているとともに、需要家と電話局のパケット交換網等との間には、端子盤やサージ保安器が取り付けられた配線盤等を有する本配線盤を設置されており、加入者通信回路は、一度、配線盤に接続され、加入者通信回路の切り替えや接続替えや、更には、加入者通信回路に侵入するサージ等から加入者通信回路等を保護するように構成され、更に、交換機通信回路を介して、電話局のパケット交換網へと接続されている。
【０００３】
図８に示されているように、従来、本配線盤Ａ１の箱体ａ１には、複数個の配線盤ａ２が配置されており、需要家の加入者通信回線ａ３は、配線盤ａ２の一端ａ２ａに接続されている。また、収納ラックＡ２には、パケット交換機ａ４等が収納されており、本配線盤Ａ１に設置された配線盤ａ２にて、接続替え等を行った後、配線盤ａ２の他端ａ２ｂ及び交換機通信回線ａ５を介して、本配線盤Ａ１が、パケット交換機ａ４等に接続されている。また、図示されてないが、配線盤ａ２には、サージ保安器等が配置されており、加入者通信回線に侵入するサージから、回線等を保護している。
【０００４】
一例として、上述した本配線盤が、特許文献１に開示されている。
【０００５】
【特許文献１】特開２００１−１１９７２８号公報
【発明の開示】
【発明が解決しようとする課題】
【０００６】
従来、電話局の通信局舎においては、上述した箱体ａ１を有する本配線盤Ａ１と収納ラックＡ２との２個の設備が別々に設けられており、従って、広い場所を必要するとともに、本配線盤Ａ１と収納ラックＡ２の間には、長いケーブル等の交換機通信回線ａ５が設置されており、この交換機通信回線ａ５の設置にも、広い場所が必要とされ、更に、保守点検等の際には、本配線盤Ａ１と収納ラックＡ２との間を行き来して保守点検作業を行わなければならず、保守点検作業の作業性が悪いという問題があった。
【０００７】
本発明の目的は、上述した従来の本配線盤とパケット交換機（電話交換機）等が収納された収納ラックが設置された通信局舎が有する課題を解決することにある。
【課題を解決するための手段】
【０００８】
本発明は、上述した目的を達成するために、台盤と天盤と２本の縦フレームとで囲まれた４つの窓枠状開口部のうちの１つの窓枠状開口部に、電気機器を配設するとともに、他の１つ窓枠状開口部に配設された開閉自在な扉の内面に、配線盤を配設するようにしたものである。
【発明の効果】
【０００９】
本発明は、上述した構成を有しているので、以下に記載する効果を奏することができる。
【００１０】
台盤と天盤と２本の縦フレームとで囲まれた４つの窓枠状開口部のうちの１つの窓枠状開口部に、電気機器を配設するとともに、他の１つ窓枠状開口部に配設された開閉自在な扉の内面に、配線盤を配設するようにしたので、従来の本配線盤とパケット交換機の収納ラックとを別々に設けた場合に比べ、設置空間を減少することができる。
【００１１】
また、開閉自在な扉の内面に、配線盤を配設するようにしたので、扉を閉じた状態においては、配線盤が外側に露出していないので、配線盤への不用意なアクセスを防止することができる。
【００１２】
更に、電気機器等収納ラックに配設された扉を開けることにより、扉の内面に配設された配線盤に対する配線切り替えや接続替え等の作業を行う作業空間を大きくすることができ、従って、このような作業の作業効率が向上する。
【００１３】
なお更に、電気機器等収納ラック内に、電気機器及び配線盤を収納したので、保守点検等を、１つの電気機器等収納ラック内で行うことができるので、保守点検作業の作業性が向上する。
【実施例】
【００１４】
以下に、本発明の実施例について、説明するが、本発明の趣旨を越えない限り実施例に限定しない。
【００１５】
図１において、Ｒは、電気機器等収納ラックであって、この電気機器等収納ラックＲは、平面形状が略方形状の台盤１ａと、平面形状が略方形状で、台盤１ａと略同じ大きさの天盤１ｂと、台盤１ａと天盤１ｂの４つの角部を連結する縦フレーム１ｃとからなるラック枠体１を有している。天盤１ｂの角部に穿設された孔に、ボルトＢを挿通するとともに、ボルトＢを、縦フレーム１ｃの上端面に形成されたネジ孔に螺合することにより、天盤１ｂが縦フレーム１ｃに取り付けられており、同様にして、縦フレーム１ｃの下端面に、台盤１ａが取り付けられている。勿論、ボルトＢを使用することなく、溶接等により、台盤１ａ及び天盤１ｂに、縦フレーム１ｃを取り付けることもできる。
【００１６】
２は、マウントフレームであり、マウントフレーム２は、縦フレーム１ｃが取り付けられた台盤１ａの角部より、台盤１ａの中央部寄り部分と、縦フレーム１ｃが取り付けられた天盤１ｂの角部より、天盤１ｂの中央部寄り部分とを連結するように、台盤１ａと天盤１ｂに取り付けられている。マウントフレーム２も、上述した台盤１ａ及び天盤１ｂへの縦フレーム１ｃの取り付けと同様に、ボルトを用いて、台盤１ａ及び天盤１ｂに取り付けることも、また、溶接等により、台盤１ａ及び天盤１ｂに取り付けることもできる。
【００１７】
３は、横フレームであり、台盤１ａ及び天盤１ｂの所定の一辺に沿って位置する２本のマウントフレーム２を連結するとともに、上記一辺と相対する一辺に沿って位置する２本のマウントフレーム２を連結するものである。マウントフレーム２と横フレーム３との連結は、ボルトや溶接等の適当な固着手段により行われる。本実施例においては、マウントフレーム２の上端部と中間部と下端部との３箇所において、上記の２本のマウントフレーム２が、３本の横フレーム３により連結されている。なお、横フレーム３は、電気機器等収納ラックＲの強度や剛性が、台盤１ａ、天盤１ｂ、縦フレーム１ｃ及びマウントフレーム２だけで十分である場合には、適宜、省略することができる。
【００１８】
電気機器等収納ラックＲの４つの側面部には、該側面部を正面から見た場合に、台盤１ａと天盤１ｂと２本の縦フレーム１ｃとで囲まれた窓枠状開口部が形成されており、４つの窓枠状開口部の１つには、扉４が配設されている。扉４は、図２に示されているように、窓枠状開口部を構成する２本の縦フレーム１ｃのうちの一方の縦フレーム１ｃに、適当なヒンジ５により、取り付けられている。
【００１９】
次に、図１及び図３を用いて、マウントフレーム２及びマウントフレーム２に取り付けられるアダプター６について説明する。
【００２０】
マウントフレーム２は、前面壁２ａと、前面壁２ａと相対する背面壁２ｂと、前面壁２ａの両垂直縁と背面壁２ｂの両垂直縁とを連結する相対する側面壁２ｃとからなる略四角筒状に形成されている。また、前面壁２ａは、前部２ａ１と、前部２ａ１の垂直縁から、前部２ａ１に対して垂直に背面部２ｂ方向に延在する側部２ａ２と、側部２ａ２の垂直縁から、背面壁２ｂに対して平行に延在する奥部２ａ３とから形成されている。更に、マウントフレーム２の前面壁２ａを構成する奥部２ａ３には、上下方向に、所定の間隔を置いて、ネジ孔Ｓ１が形成されている。
【００２１】
アダプター６は、略四角筒状の主部６’を有しており、主部６’は、前面壁６ａと、前面壁６ａと相対する背面壁６ｂと、前面壁６ａの両垂直縁と背面壁６ｂの両垂直縁とを連結する相対する側面壁６ｃとから形成されている。相対する側面壁６ｃのうちの一方の側面壁６ｃには、該一方の側面壁６ａに対して垂直で、且つ、前面壁６ａと略面一な前部延長壁６ｄと、上記一方の側面壁６ｃに対して垂直で、且つ、前部延長壁６ｄに略平行な後部延長壁６ｅとが形成されている。アダプター６には、上記一方の側面壁６ａと前部延長壁６ｄと後部延長壁６ｅとにより、嵌合凹部６ｆが形成されている。また、前面壁６ａは、前部６ａ１と、前部６ａ１の垂直縁から、前部６ａ１に対して垂直に背面壁６ｂ方向に延在する側部６ａ２と、側部６ａ２の垂直縁から、背面壁６ｂに対して平行に延在する奥部６ａ３とから形成されている。更に、前部延長壁６ｄには、上下方向に、所定の間隔を置いて、透孔Ｈ１が穿設されているとともに、前面壁６ａを構成する奥部６ａ３には、上下方向に、所定の間隔を置いて、ネジ孔Ｓ２が形成されている。なお、６ｇは、前面壁６ａを構成する側部６ａ２を延長することにより形成された、背面壁６ｂまで達する隔壁である。
【００２２】
上述した構成を有する２本のマウントフレーム２は、台盤１ａと天盤１ｂと２本の縦フレーム１ｃとで囲まれた窓枠状開口部を正面から見た場合に、マウントフレーム２の前面壁２ａが前方に位置するとともに、前面壁２ａのネジ孔Ｓ１が形成された奥部２ａ３が、互いに、窓枠状開口部の中央部側に位置するように取り付けられている。
【００２３】
図４において、Ｐ１は、電気機器としての大容量パケット交換機であり、大容量パケット交換機Ｐ１は、本体部ｐ１と取付けパネルｐ２とを有しており、本体部ｐ１の側方に位置する取付けパネルｐ２には、透孔ｐ２ａが穿設されている。また、Ｐ２は、上記の大容量パケット交換機Ｐ１より小型の小容量パケット交換機であり、小容量パケット交換機Ｐ２も、本体部ｐ３と取付けパネルｐ４とを有しており、本体部ｐ３の側方に位置する取付けパネルｐ４の両側部には、上下方向に、適当数の透孔ｐ４ａが穿設されている。
【００２４】
上述した大容量パケット交換機Ｐ１を、所定の間隔を置いて配置されたマウントフレーム２に取り付けるには、一対のマウントフレーム２間に、大容量パケット交換機Ｐ１を配置するとともに、マウントフレーム２の前面壁２ａを構成する奥部２ａ３に、大容量パケット交換機Ｐ１の取付けパネルｐ２を、取付けパネルｐ２に穿設された透孔ｐ２ａとマウントフレーム２の前面壁２ａを構成する奥部２ａ３に形成されたネジ孔Ｓ１とが一致するように当接する。次いで、大容量パケット交換機Ｐ１の取付けパネルｐ２に穿設された透孔ｐ２ａに、ボルトＢを挿入するとともに、ボルトＢを、マウントフレーム２の前面壁２ａを構成する奥部２ａ３に形成されたネジ孔Ｓ１に螺合させることにより、一対のマウントフレーム２に、大容量パケット交換機Ｐ１を取り付ける。
【００２５】
また、小容量パケット交換機Ｐ２を、一対のマウントフレーム２に取り付けるには、先ず最初に、図３に示されているように、マウントフレーム２の前面壁２ａを構成する奥部２ａ３と背面壁２ｂと奥部２ａ３と背面壁２とを連結する側面壁２ｃとにより形成された、水平断面形状（マウントフレーム２の長さ方向に対して垂直な断面形状）が略コの字状の嵌合部分２’に、アダプター６の一方の側面壁６ａと前部延長壁６ｄと後部延長壁６ｅとにより形成される嵌合凹部６ｆを嵌合させるとともに、マウントフレーム２の前面壁２ａを構成する奥部２ａ３に形成されたネジ孔Ｓ１とアダプター６の前部延長壁６ｄに穿設された透孔Ｈ１とを一致させ、その後、ボルトＢを、アダプター６の前部延長壁６ｄに穿設された透孔Ｈ１に挿入するとともに、ボルトＢを、マウントフレーム２の前面壁２ａを構成する奥部２ａ３に形成されたネジ孔Ｓ１に螺合させることにより、一対のマウントフレーム２に、アダプター６を取り付ける。
【００２６】
その後、一対のマウントフレーム２に取り付けられたアダプター６間に、小容量パケット交換機Ｐ２を配置するとともに、アダプター６の前面壁６ａを構成する奥部６ａ３に、小容量パケット交換機Ｐ２の取付けパネルｐ４を、取付けパネルｐ４に穿設された透孔ｐ４ａとアダプター６の前面壁６ａを構成する奥部６ａ３に形成されたネジ孔Ｓ２とが一致するように当接する。次いで、小容量パケット交換機Ｐ２の取付けパネルｐ４に穿設された透孔ｐ４ａに、ボルトＢを挿入するとともに、ボルトＢを、アダプター６の前面壁６ａを構成する奥部６ａ３に形成されたネジ孔Ｓ２に螺合させることにより、一対のマウントフレーム２に、アダプター６を介して、小容量パケット交換機Ｐ２を取り付ける。
【００２７】
上述したようにして、図６に示されているように、一対のマウントフレーム２に、大容量パケット交換機Ｐ１を取り付けるとともに、必要に応じて、一対のマウントフレーム２に、アダプター６を介して、小容量パケット交換機Ｐ２を取り付ける。
【００２８】
次に、図２及び図７を用いて、上述した扉４への配線盤Ｗの取り付けについて説明する。
【００２９】
扉４の内面（台盤１ａと天盤１ｂと２本の縦フレーム１ｃとで囲まれた窓枠状開口部の１つを、扉４で閉鎖した際に、電気機器等収納ラックＲの内側に位置する面）４ａには、上下方向に、且つ、左右方向に、適当数の円筒状の台座金具４ｂが突設されており、円筒状の台座金具４ｂには、ネジ孔４ｂ１が形成されている。
【００３０】
７は、Ｌ字状の長尺の配線盤取付金具で有り、配線盤取付金具７は、水平方向に複数の嵌合孔７ａ１が穿設された水平部７ａと、水平部７ａに対して垂直で、且つ、水平方向に複数の透孔７ｂ１が穿設された垂直部７ｂとから構成されている。
【００３１】
扉４の内面４ａに突設された台座金具４ｂのネジ孔４ｂ１と配線盤取付金具７の垂直部７ｂに穿設された透孔７ｂ１とが一致するように、配線盤取付金具７を配置した後、配線盤取付金具７の垂直部７ｂに穿設された透孔７ｂ１に、ボルトＢを挿入するとともに、ボルトＢを、扉４の内面４ａに突設された台座金具４ｂのネジ孔４ｂ１に螺合させることにより、扉４の内面４ａに、適当数の配線盤取付金具７を、水平状に取り付ける。
【００３２】
扉４の内面４ａに取り付けられた複数の配線盤取付金具７のうち、隣接する一対の配線盤取付金具７の水平部７ａに、配線盤Ｗの上下端部に形成された嵌合凹部ｗ１を挿入するとともに、嵌合凹部ｗ１内に突設している図示されていない嵌合突起を、配線盤取付金具７の水平部７ａに穿設された嵌合孔７ａ１に嵌合させることにより、一対の配線盤取付金具７間に跨がるように、配線盤取付金具７を取り付けることができるように構成されている。
【００３３】
電気機器等収納ラックＲは、少なくとも、台盤１ａと天盤１ｂと縦フレーム１ｃとからなるラック枠体１と、マウントフレーム２と、扉４とから構成されているとともに、一対のマウントフレーム２には、大容量パケット交換機Ｐ１が、或いは、アダプター６を介して、小容量パケット交換機Ｐ２が取り付けられており、且つ、扉４の内面４ａには、配線盤Ｗが取り付けられている。
【００３４】
なお、本実施例には、台盤１ａと天盤１ｂと２本の縦フレーム１ｃとで囲まれた４つの窓枠状開口部のうちの１つに、大容量パケット交換機Ｐ１や小容量パケット交換機Ｐ２が配設されており、該大容量パケット交換機Ｐ１や小容量パケット交換機Ｐ２が取り付けられた窓枠状開口部と対向する窓枠状開口部に、扉４が配設されている例が示されているが、他の窓枠状開口部に、扉４を配設することもできる。
【００３５】
また、大容量パケット交換機Ｐ１や小容量パケット交換機Ｐ２が配設された窓枠状開口部及び扉４が配設された窓枠状開口部以外の他の２つの窓枠状開口部を、図１に示されているように、開放状態のままとすることもできるし、このような他の２つの窓枠状開口部を、適当な側方パネルで、閉鎖することもできる。
【００３６】
上述したように、台盤１ａと天盤１ｂと２本の縦フレーム１ｃとで囲まれた４つの窓枠状開口部のうちの１つの窓枠状開口部に配設された一対のマウントフレーム２に取り付けられたパケット交換機Ｐ１、Ｐ２及び他の１つ窓枠状開口部に配設された開閉自在な扉４の内面４ａに取り付けられた配線盤Ｗとを有する電気機器等収納ラックＲにおいては、扉４を開いた状態で、扉４の内面４ａに取り付けられた配線盤Ｗに、加入者通信回線を接続したり、配線盤Ｗ同士の接続換え等を行い、また、配線盤Ｗから、パケット交換機Ｐ１、Ｐ２に配線接続して、加入者通信回線が電話局に接続されている。このような作業終了後に、扉４を閉じて、配線盤Ｗ等を、電気機器等収納ラックＲに収納する。
【００３７】
上述したように、電気機器等収納ラックＲに、パケット交換機Ｐ１、Ｐ２を収納するとともに、電気機器等収納ラックＲの１つの窓枠状開口部を開閉する扉４の内面４ａに、配線盤Ｗを配設したので、従来の本配線盤とパケット交換機の収納ラックとを別々に設けた場合に比べ、設置空間が減少する。
【００３８】
また、電気機器等収納ラックＲの１つの窓枠状開口部を開閉する扉４の内面４ａに、配線盤Ｗを配設したので、扉４を閉じた状態においては、配線盤Ｗが外側に露出していないので、配線盤Ｗへの不用意なアクセスを防止することができる。
【００３９】
更に、電気機器等収納ラックＲに配設された扉４を開けることにより、扉４の内面４ａに配設された配線盤Ｗに対する配線切り替えや接続替え等の作業を行う作業空間を大きくすることができ、従って、このような作業の作業効率が向上する。
【００４０】
なお更に、電気機器等収納ラックＲ内に、パケット交換機Ｐ１、Ｐ２及び配線盤Ｗを収納したので、保守点検等を、１つの電気機器等収納ラックＲ内で行うことができるので、保守点検作業の作業性が向上する。
【００４１】
更にまた、一対のマウントフレーム２には、アダプター６を介して、小容量パケット交換機Ｐ２を取り付けることができるので、容量の異なる種々のパケット交換機を、電気機器等収納ラックＲに収納することができる。
【図面の簡単な説明】
【００４２】
【図１】図１は、本発明の電気機器等収納ラックの斜視図である。
【図２】図２は、本発明の電気機器等収納ラックの部分斜視図である。
【図３】図３は、本発明の電気機器等収納ラックを構成するマウントフレームへのアダプターの取り付けを説明するための部分斜視図である。
【図４】図４は、本発明の電気機器等収納ラックに収納されるパケット交換機とアダプターの分解斜視図である。
【図５】図５は、本発明の電気機器等収納ラックと該電気機器等収納ラックに収納されるパケット交換機とアダプターの分解斜視図である。
【図６】図６は、パケット交換機等が収納された状態の本発明の電気機器等収納ラックの部分斜視図である。
【図７】図７は、本発明の電気機器等収納ラックの扉への配線盤の取り付けを説明するための部分分解斜視図である。
【図８】従来の本配線盤を用いた収納ラック等の構成を示す斜視図である。
【符号の説明】
【００４３】
Ｐ１、Ｐ２・・・・・・・・パケット交換機（電気機器）
Ｒ・・・・・・・・・・・・電気機器等収納ラック
Ｗ・・・・・・・・・・・・配線盤
１・・・・・・・・・・・・ラック枠体
１ａ・・・・・・・・・・・台盤
１ｂ・・・・・・・・・・・天盤
１ｃ・・・・・・・・・・・縦フレーム
２・・・・・・・・・・・・マウントフレーム
３・・・・・・・・・・・・横フレーム
４・・・・・・・・・・・・扉
５・・・・・・・・・・・・ヒンジ
６・・・・・・・・・・・・アダプター
【図１】
2006140242.tif 000003
【図２】
2006140242.tif 000004
【図３】
2006140242.tif 000005
【図４】
2006140242.tif 000006
【図５】
2006140242.tif 000007
【図６】
2006140242.tif 000008
【図７】
2006140242.tif 000009
【図８】
2006140242.tif 000010